(57)【特許請求の範囲】
【請求項１】
冷蔵庫本体と、
この冷蔵庫本体の背面上端近くに設けられた上取っ手と、
この上取っ手の下方の位置に設けられた下取っ手と
を備え、
上記冷蔵庫本体の背面には、左右両側のそれぞれに、左右外側を向くと共に上下方向に延在している箱傾斜面が設けられ、
この箱傾斜面には、上記上取っ手と上記下取っ手と重なる位置のそれぞれに凹部が設けられ、
上記下取っ手は、上記冷蔵庫本体の上端から所定の距離だけ下方の位置にあり、上記下取っ手を上記冷蔵庫本体の上方から握ったとき、手首からヒジにかけての腕の少なくとも一部が上記冷蔵庫本体の背面の一部に接して支えとなることを特徴とする冷蔵庫。
【請求項２】
上記下取っ手の位置は、上記冷蔵庫本体の上端からの距離が２５０ｍｍから３５０ｍｍまでの値だけ下方にある位置であることを特徴とする請求項１に記載の冷蔵庫。
【請求項３】
上記上取っ手および上記下取っ手は、上記冷蔵庫本体の背面に取り付けられる電気・電子部品等を収納する収納箱に一体に形成されたことを特徴とする請求項１若しくは請求項２に記載の冷蔵庫。
【請求項４】
上記上取っ手および上記下取っ手の少なくとも一部は、冷蔵庫の排熱に必要な空間を背面側に設けるため、上記冷蔵庫本体の背面の最後部から後方に必要距離だけ突き出したことを特徴とする請求項１乃至請求項３の何れか一つに記載の冷蔵庫。
【請求項５】
上記上取っ手および上記下取っ手には電源コードを係り止めするコード係止部を設けたことを特徴とする請求項１乃至請求項４の何れか一つに記載の冷蔵庫。
【請求項６】
上記下取っ手の上方で、上記下取っ手と上記上取っ手をつなぐ領域の中に、電源プラグを上記冷蔵庫本体の背面の表面より出ないように係り止めするプラグ係止部を設けたことを特徴とする請求項１乃至請求項５の何れか一つに記載の冷蔵庫。
【請求項７】
上記プラグ係止部に電源プラグを係止したとき、この電源プラグにある電源コードのでる方向が上記冷蔵庫本体の側面に向くことを特徴とする請求項６に記載の冷蔵庫。
【発明の詳細な説明】
【０００１】
【発明の属する技術分野】
本発明は、運搬用の取っ手をもつ冷蔵庫に関するものである。
【０００２】
【従来の技術】
従来この種の冷蔵庫は、特開平７−２７００４１号公報に開示されているように、冷蔵庫の背面上端近くに電装品箱と一体に形成された運搬用取手を備えてなるものである。
【０００３】
【発明が解決しようとする課題】
上記のような従来の冷蔵庫では、特開平７−２７００４１号公報に開示されているように、冷蔵庫を斜め倒しの状態で二人で運搬するとき、一人は冷蔵庫の底部をもって運搬し、他の一人は冷蔵庫の背面上端近くに設けた取っ手をもって運搬するため、背面上端近くの取っ手をもつ運搬者は、冷蔵庫の重さを支える手の接触面積が少なく、冷蔵庫の重さが手を圧迫して手の痛みが大きく、さらに、冷蔵庫の上方を支える位置が運搬者のヒジより下になり、上記冷蔵庫の天面側の下端が太股に近づき、歩くときにその運搬者の太股に冷蔵庫の端があたり運搬しにくいという課題がある。また、冷蔵庫の背面上端近くに確実に指が掛かる凸状の運搬用取手を設けるため、冷蔵庫の背面からのとびだし量が大きく、冷蔵庫を設置するとき、運搬用取手が室内の壁に当たり、必要以上に冷蔵庫が前にとびだし、冷蔵庫周辺の家具（食器棚・流し台等）からとびだし邪魔になるとともに、冷蔵庫設置のための場所が必要以上に大きくなり、台所などの冷蔵庫を設置する部屋が狭くなるという課題がある。
【０００４】
【課題を解決するための手段】
本発明の冷蔵庫は上記のような課題を解決したもので、請求項１記載の発明は、冷蔵庫本体と、この冷蔵庫本体の背面上端近くに設けられた上取っ手と、この上取っ手の下方の位置に設けられた下取っ手とを備え、上記冷蔵庫本体の背面には、左右両側のそれぞれに、左右外側を向くと共に上下方向に延在している箱傾斜面が設けられ、この箱傾斜面には、上記上取っ手と上記下取っ手と重なる位置のそれぞれに凹部が設けられ、上記下取っ手は、上記冷蔵庫本体の上端から所定の距離だけ下方の位置にあり、上記下取っ手を上記冷蔵庫本体の上方から握ったとき、手首からヒジにかけての腕の少なくとも一部が上記冷蔵庫本体の背面の一部に接して支えとなることを特徴とするものであり、この構成により、冷蔵庫を斜め倒しの状態で二人で運搬のとき、冷蔵庫の背面下側にある上記下取っ手をもつ運搬者は、手首からヒジにかけての腕の一部が上記冷蔵庫の背面の一部に接触して支えとなるため、冷蔵庫の重さを支える腕の接触面積が増え、手や腕にかかる単位面積あたりの圧力が減少し、冷蔵庫の重さによる手への痛みが減り、さらに、冷蔵庫の上端を支える位置が上記運搬者のヒジ近くになり、背筋を伸ばすことにより、上記冷蔵庫の天面側の下端が太股より上になり、歩くときに上記運搬者の太股に冷蔵庫の端があたらず、運搬しやすい冷蔵庫が得られる。また、冷蔵庫を斜め倒しの状態で二人で運搬のとき、階段の踊り場等で冷蔵庫を立てるとき、下取っ手の位置が冷蔵庫の下方にあるため、冷蔵庫の背面下側にある上記下取っ手をもつ運搬者の冷蔵庫持ち上げ量が少なくてすみ、容易に冷蔵庫を立てられる。
【０００５】
また、冷蔵庫を斜め倒しの状態で二人で運搬のとき、冷蔵庫の背面下側にある上記下取っ手をもつ運搬者は、取っ手としての丸みをもつ上記上取っ手が腕に乗り、腕のこの部分の痛みがいっそう和らぎ、取っ手として丈夫にできているためより確実な支えとなり、より安定して運搬しやすい冷蔵庫が得られる。また、下取っ手および上取っ手の近くに設けられた凹部により、下取っ手および上取っ手を握りやすくする。また、上記箱傾斜面により、冷蔵庫本体の外箱の背面側コーナ部を略Ｃ面にカットし、外箱と内箱の間に一体発泡された発泡断熱材の充填量の削減と発泡断熱材内の大型気泡発生を防ぐとともに、下取っ手をさらに握りやすくしている。
【０００６】
また、請求項２記載の発明は、上記下取っ手の位置は、上記冷蔵庫本体の上端からの距離が２５０ｍｍから３５０ｍｍまでの値だけ下方にある位置であることを特徴とするものであり、この構成により、冷蔵庫を斜め倒しの状態で二人で運搬のとき、冷蔵庫の背面下側にある上記下取っ手をもつ運搬者は、上記下取っ手から冷蔵庫の背面上端までが手首からヒジにかけての腕の広い領域におさまり、冷蔵庫の重さを支える腕の接触面積が充分増え、手や腕にかかる単位面積あたりの圧力が大きく減少し、冷蔵庫の重さによる手への痛みがさらに減り、さらに、冷蔵庫の上端を支える位置が上記運搬者のヒジ近くになり、背筋を伸ばすことにより、上記冷蔵庫の天面側の下端が太股より確実に上になり、歩くときに上記運搬者の太股に冷蔵庫の端があたらず、さらに運搬しやすい冷蔵庫が得られる。
【０００７】
そしてまた、請求項３記載の発明は、上記上取っ手および上記下取っ手は、上記冷蔵庫本体の背面に取り付けられる電気・電子部品等を収納する収納箱に一体に形成されたことを特徴とするものであり、この構成により、上記上取っ手および上記下取っ手の冷蔵庫への取り付け強度が増加するばかりでなく、上記上取っ手と上記下取っ手の位置関係がより安定し、よりいっそう安定した運搬が可能となる。
【０００８】
さらに、請求項４記載の発明は、上記上取っ手および上記下取っ手の少なくとも一部は、冷蔵庫の排熱に必要な空間を背面側に設けるため、上記冷蔵庫本体の背面の最後部から後方に必要距離だけ突き出したことを特徴とするものであり、この構成により、冷蔵庫を設置するとき、取っ手の後方端が室内の壁に当たり、冷蔵庫の設置の位置決めとなるばかりでなく、冷蔵庫の排熱に必要な最小限の空間を背面側に設けられ、前記空間が冷蔵庫の背面側から放出される排熱の通路となり、設置面積が必要最小限で安全に確保できる冷蔵庫が得られる。
【０００９】
さらにまた、請求項５記載の発明は、上記上取っ手および上記下取っ手には電源コードを係り止めするコード係止部を設けたことを特徴とするものであり、この構成により、冷蔵庫を運搬のとき電源コードを係止部に係止しておくと電源コードが運搬者の足もとで邪魔にならず、いっそう運搬しやすい冷蔵庫が得られる。
【００１０】
また、請求項６記載の発明は、上記下取っ手の上方で、上記下取っ手と上記上取っ手をつなぐ領域の中に、電源プラグを上記冷蔵庫本体の背面の表面より出ないように係り止めするプラグ係止部を設けたことを特徴とするものであり、この構成により、上記下取っ手を持って運搬のとき、電源プラグが運搬者の腕に覆われ、プラグ係止部からはずれにくくなる。
【００１１】
そして、請求項７記載の発明は、上記プラグ係止部に電源プラグを係止したとき、この電源プラグにある電源コードのでる方向が上記冷蔵庫本体の側面に向くことを特徴とするものであり、この構成により、上記下取っ手を握って冷蔵庫を運搬のとき、上記電源コードが上記下取っ手の握り部を握る手や腕の邪魔にさらになりにくい冷蔵庫が得られる。
【００１２】
【発明の実施の形態】
以下、本発明の冷蔵庫の実施の形態を図面とともに説明する。
【００１３】
図１は本発明による冷蔵庫の背面から見た図、図２は本発明による冷蔵庫の側面から見た図、図３は図１に示す下取っ手付近のＡ−Ａ線の要部断面図、図４は本発明による冷蔵庫の上面から見た上取っ手付近の図、図５は図１に示すプラグ係止部付近のＢ−Ｂ線の要部断面図である。
【００１４】
図１において、１は冷蔵庫本体、２は前記冷蔵庫本体１の背面上方にある内部に電気・電子部品等を収納する収納箱、３は収納箱２の内部に電気・電子部品等を収納した後ビス等で収納箱２に固定されている蓋である。４は下取っ手、５は上取っ手で各々は収納箱２に一体に形成されている。
【００１５】
また、下取っ手４は冷蔵庫本体１の背面上端から所定の距離だけ下方の位置（例えば２６０mm）に設けられており、下取っ手４を冷蔵庫本体１の背面上側から握ったとき、手首からヒジにかけての腕の一部が冷蔵庫本体１の背面の一部に接して支えとなる。６は収納箱２内の電気回路につながる電源コード、７は電源コード６の先端にある電源プラグの刃の部分を凹部に差し込んで係止するプラグ係止部である。
【００１６】
また、下取っ手４・上取っ手５の近くの収納箱２に取っ手を握りやすくするため、それぞれ凹部２ａ・２ｂが設けられている。また、収納箱２の左右方向の両側には背面板８の傾斜面に続く傾斜面の箱傾斜面２ｃが設けられており、冷蔵庫本体１の外箱の背面側コーナ部を略Ｃ面にカットし、外箱と内箱の間に一体発泡された発泡断熱材の充填量の削減と発泡断熱材内の大型気泡発生を防ぐとともに、下取っ手４をさらに握りやすくしている。なお、２ｄは冷蔵庫本体１の背面側の収納箱２での箱背面部であり、蓋３はそれより後方に突き出している。
【００１７】
図２において、冷蔵庫本体１を斜め倒しの状態で二人で運搬のとき、一人は上取っ手５の握り部５ａを握り、冷蔵庫本体１の天面側を後方に倒し、その後、もち替えて下取っ手４の握り部４ａを冷蔵庫本体１の背面上側から握りなおす。他の一人は冷蔵庫本体１の底部をもち、二人で冷蔵庫本体１をもち上げて運搬することになる。
【００１８】
下取っ手４付近の収納箱２に凹部２ａが設けられているので、指や手が周囲にあたらず握り部４ａが握りやすくなっている。また、冷蔵庫本体１を斜め倒しの状態で二人で運搬するとき、下取っ手４をもつ運搬者の腕は、箱背面部２ｄの一部や上取っ手５の背面側に接触して冷蔵庫本体１を支えるため、冷蔵庫本体１の重さを支える手や腕の接触面積が増え、手や腕にかかる単位面積あたりの圧力が減少し、冷蔵庫本体１の重さによる手への痛みが減少する。
【００１９】
上取っ手５の運搬者の腕があたる部分のコーナ部は、コーナＲをとり丸味をもたせて痛く感じないようにしてある。また、上取っ手５やその周辺は用途がら丈夫にできているため、ぐら付きもなくより確実な支えとなる。
【００２０】
さらに、冷蔵庫本体１の上端を支える位置が上記運搬者のヒジ近くになり、背筋を伸ばすことにより、冷蔵庫本体１の天面側の下端が太股より上になり、歩くときにこの運搬者の太股に冷蔵庫本体１の端があたらず非常に運搬しやすくなる。
【００２１】
また、冷蔵庫本体１を斜め倒しの状態で二人で運搬のとき、階段の踊り場等で冷蔵庫本体１を立てるとき、下取っ手４の位置が冷蔵庫の下方にあるため、下取っ手４をもつ運搬者の冷蔵庫持ち上げ量が少なくてすみ、前記運搬者は容易に冷蔵庫本体１を立てることができる。
【００２２】
なお、下取っ手４の設置位置は、冷蔵庫本体１の背面上端から下方へ３００ｍｍ程度にすると、冷蔵庫本体１の背面上端が成人男子のほぼヒジ近くになり、いっそう上記の効果が得られる。
【００２３】
また、下取っ手４や上取っ手５は収納箱２に一体に形成されているため、下取っ手４や上取っ手５の冷蔵庫本体１への取り付け強度が増加するばかりでなく、下取っ手４と上取っ手５の位置関係がより安定し、いっそう安定した冷蔵庫の運搬が可能となる。
【００２４】
さらに、下取っ手４のコード係止部４ｂと上取っ手５のコード係止部５ｂの４個所で握り部４ａ・５ａとは反対側に電源コード６を差し渡して巻き付け、電源コード６先端にある電源コード６と直角に突き出した電源プラグの刃をプラグ係止部７の凹部に差し込んでおくと、運搬のときに運搬者の足に電源コードや電源プラグがまとわり付かずいっそう運搬しやすくなる。
【００２５】
なお、上記プラグ係止部７は、下取っ手４と上取っ手５をつなぐ領域の中にあるため、運搬のとき腕に覆われ、電源プラグがプラグ係止部７からはずれにくくなっている。
【００２６】
また、プラグ係止部７周辺の箱傾斜面２ｃの部分を、電源プラグの刃を７に差し込むのに支障のない領域だけ箱背面部２ｄの高さにすると、運搬のときの腕の接触面積がさらに増え、腕にかかる単位面積あたりの圧力がさらに減少し、冷蔵庫本体１の重さによる手や腕への痛みがいっそう減少する。
【００２７】
また、握り部５ａの上下方向の長さを大きくしたり、握り部５ａのコーナＲを大きくするとさらに腕への痛みが減少することは明白である。なお、４ｃおよび５ｃはそれぞれ下取っ手４や上取っ手５の補強のための補強リブである。
【００２８】
図３において、下取っ手４の握り部４ａが冷蔵庫本体１の背面の最後部である蓋３の外面より後方に必要量だけ突き出しているため、冷蔵庫を設置するとき、下取っ手４の後方端が室内の壁に当たり、冷蔵庫本体１の設置の位置決めとなるばかりでなく、冷蔵庫本体１背面側の排熱に必要な空間が室内の壁との間に設けられ、前記空間が冷蔵庫本体１の背面側から放出される排熱の通路となり、設置面積が必要最小限で安全に確保できることになる。
【００２９】
下取っ手４の握り部４ａが冷蔵庫本体１の背面の最後部である蓋３の外面より後方にとびだす量は、冷蔵庫本体１背面側の排熱に最小限に必要な空間が室内の壁との間に設けられるだけの量（例えば５ｍｍ）にしてある。なお、下取っ手４の上記目的のためのとびだしは、握り部４ａを避けた下取っ手４の一部分であってもよい。
【００３０】
また、コード係止部４ｂは電源コード６巻き付けに必要なだけの位置に設け、握り部４ａからなるべく遠ざかるようにしているので、巻き付けられた電源コード６は握り部４ａを握る手の邪魔になりにくい。さらに、箱傾斜面２ｃを下取っ手４の近くに設けてあるためいっそう握り部４ａが握りやすくなっている。
【００３１】
また、下取っ手４の周辺にある凹部２ａの裏側に補強リブ２ｅが設けられているため、下取っ手４のぐら付きが防止されるばかりでなく、断熱のための発泡断熱材がこの部分にも入り込み発泡して固まり、補強リブ２ｅやその周辺の発泡断熱材とのひっつきがよくなり、下取っ手４の冷蔵庫本体１への取り付き強度が増す。
【００３２】
図４において、上取っ手５に設けられたコード係止部５ｂは電源コード６を巻き付けるに必要なだけの位置に設け、握り部５ａからなるべく遠ざかるようにしているので、巻き付けられた電源コード６は握り部５ａを握る手の邪魔になりにくい。また、握り部５ａには貫通穴５ｃが設けられており、貫通穴５ｃにベルトを通し室内の壁や柱に上記ベルトを固定すると、地震のときに冷蔵庫の倒れ防止に役立つ。上記貫通穴５ｃと同様の穴を握り部４ａに設け、ベルト掛けを増すと、いっそう倒れ防止の強度が増す。なお、２ｃは箱傾斜面である。
【００３３】
また、本図では実際には下取っ手４の後方へのとびだした部分が見えるはずであるが、図が複雑になり見にくくなるため、下取っ手４の図は省略している。
【００３４】
そして、上取っ手５の握り部５ａの少なくとも一部が下取っ手４同様の位置に突き出して設けると、冷蔵庫の設置の位置決めとなり、冷蔵庫本体１背面側の排熱に必要な空間の確保ができ、設置面積が必要最小限で安全に確保できる。さらに、下取っ手４、上取っ手５をともに後方に突き出して設けると壁への接触面積が増し、いっそう壁をきず付けなくなる。
【００３５】
また、下取っ手４、上取っ手５は収納箱２と一体に形成されているため、下取っ手４、上取っ手５の位置関係は確実に確保できるため、ともに後方に突き出している場合、同時に壁に接触しやすくなり、壁へのきず付き防止の効果がより確実になる。また、上記下取っ手４、上取っ手５を後方に突き出さずに、別に位置決め用の突起を設けてもよい。
【００３６】
図５において、箱傾斜面２ｃに設けられたプラグ係止部７は電源プラグの刃をプラグ係止部７の凹部に差し込むことにより電源プラグを係り止めする。プラグ係止部７に係止された電源プラグの後方端は箱背面部２ｄよりへこんで前方に位置するようにしている。そのため、冷蔵庫本体１を斜め倒しの状態で二人で運搬のとき、下取っ手４をもつ運搬者の上腕に電源プラグの後方端があたりにくくなっており、プラグ係止部７に電源プラグを係止して運搬しても運搬の邪魔にはならない。なお、プラグ係止部７に係止された電源プラグを２点鎖線であらわしている。
【００３７】
また、本図はプラグ係止部７に係止された電源プラグからでる電源コードは下方にでるようにしてあるが、電源コードのでる方向を冷蔵庫本体１の側面方向にもなるようにプラグ係止部７をしておくと、電源コードはプラグ係止部７から冷蔵庫本体１の側面方向にでるため、下取っ手４の握り部４ａを握る手やその近くの腕の邪魔にいっそうなりにくくなる。
【００３８】
上記のコード係止部４ｂ・５ｂは本図では単なる突起形状としているが、電源コード６を挟み込む間隔をもつ複数本のリブや、互いに向かい合ったカギ状の突起や、後方へ曲がったカギ状突起であってもよい。
【００３９】
また、本説明での左右方向とは、冷蔵庫を正面から見て左右の方向を意味し、前後方向とは、冷蔵庫を正面から見て前後の方向を意味する。そして、本図において、板厚等の薄い断面を示す部分に対するハッチングは省略している。
【００４０】
【発明の効果】
本発明の冷蔵庫は上記のような構成であるから、請求項１記載の発明によれば、冷蔵庫を斜め倒しの状態で二人で運搬のとき、冷蔵庫の背面下側にある下取っ手をもつ運搬者は、手首からヒジにかけての腕の一部が上記冷蔵庫の背面の一部に接触して支えとなるため、冷蔵庫の重さを支える腕の接触面積が増え、手や腕にかかる単位面積あたりの圧力が減少し、冷蔵庫の重さによる手への痛みが減り、さらに、冷蔵庫の上端を支える位置が上記運搬者のヒジ近くになり、背筋を伸ばすことにより、上記冷蔵庫の天面側の下端が太股より上になり、歩くときに上記運搬者の太股に冷蔵庫の端があたらず、運搬しやすい冷蔵庫が得られる。また、冷蔵庫を斜め倒しの状態で二人で運搬のとき、階段の踊り場等で冷蔵庫を立てるとき、下取っ手の位置が冷蔵庫の下方にあるため、冷蔵庫の背面下側にある上記下取っ手をもつ運搬者の冷蔵庫持ち上げ量が少なくてすみ、容易に冷蔵庫を立てられる。
【００４１】
また、冷蔵庫を斜め倒しの状態で二人で運搬のとき、冷蔵庫の背面下側にある上記下取っ手をもつ運搬者は、取っ手としての丸みをもつ上記上取っ手が腕に乗り、腕のこの部分の痛みがいっそう和らぎ、取っ手として丈夫にできているためより確実な支えとなり、より安定して運搬しやすい冷蔵庫が得られる。また、下取っ手および上取っ手の近くに設けられた凹部により、下取っ手および上取っ手を握りやすくする。また、上記箱傾斜面により、冷蔵庫本体の外箱の背面側コーナ部を略Ｃ面にカットし、外箱と内箱の間に一体発泡された発泡断熱材の充填量の削減と発泡断熱材内の大型気泡発生を防ぐとともに、下取っ手をさらに握りやすくしている。
【００４２】
また、請求項２記載の発明によれば、冷蔵庫を斜め倒しの状態で二人で運搬のとき、冷蔵庫の背面下側にある下取っ手をもつ運搬者は、下取っ手から冷蔵庫の背面上端までが手首からヒジにかけての腕の広い領域におさまり、冷蔵庫の重さを支える腕の接触面積が充分増え、手や腕にかかる単位面積あたりの圧力が大きく減少し、冷蔵庫の重さによる手への痛みがさらに減り、さらに、冷蔵庫の上端を支える位置が上記運搬者のヒジ近くになり、背筋を伸ばすことにより、上記冷蔵庫の天面側の下端が太股より確実に上になり、歩くときに上記運搬者の太股に冷蔵庫の端があたらず、さらに運搬しやすい冷蔵庫が得られる。
【００４３】
そしてまた、請求項３記載の発明によれば、上取っ手および下取っ手の冷蔵庫への取り付け強度が増加するばかりでなく、上取っ手と下取っ手の位置関係がより安定し、よりいっそう安定した運搬が可能となる。
【００４４】
さらに、請求項４記載の発明によれば、冷蔵庫を設置するとき、取っ手の後方端が室内の壁に当たり、冷蔵庫の設置の位置決めとなるばかりでなく、冷蔵庫の排熱に必要な最小限の空間を背面側に設けられ、前記空間が冷蔵庫の背面側から放出される排熱の通路となり、設置面積が必要最小限で安全に確保できる冷蔵庫が得られる。
【００４５】
さらにまた、請求項５記載の発明によれば、冷蔵庫を運搬のとき電源コードを係止部に係止しておくと電源コードが運搬者の足もとで邪魔にならず、いっそう運搬しやすい冷蔵庫が得られる。
【００４６】
また、請求項６記載の発明によれば、下取っ手を持って運搬のとき、電源プラグが運搬者の腕に覆われ、プラグ係止部からはずれにくくなる。
【００４７】
そして、請求項７記載の発明によれば、下取っ手を握って冷蔵庫を運搬のとき、電源コードが上記下取っ手の握り部を握る手や腕の邪魔にさらになりにくい冷蔵庫が得られる。
【図面の簡単な説明】
【図１】本発明の冷蔵庫の実施の形態を示す冷蔵庫を背面から見た要部構成説明図である。
【図２】本発明の冷蔵庫の実施の形態を示す冷蔵庫を側面から見た要部構成説明図である。
【図３】図１に示す下取っ手付近のＡ−Ａ線の要部断面図である。
【図４】本発明の冷蔵庫の実施の形態を示す冷蔵庫の上面から見た上取っ手付近の図である。
【図５】図１に示すプラグ係止部付近のＢ−Ｂ線の要部断面図である。
【符号の説明】
２  収納箱
２ａ  凹部
２ｂ  凹部
２ｃ  箱傾斜面
４  下取っ手
４ｂ  コード係止部
５  上取っ手
５ｂ  コード係止部
７  プラグ係止部
【図１】
0003558903.tif 000002
【図２】
0003558903.tif 000003
【図３】
0003558903.tif 000004
【図４】
0003558903.tif 000005
【図５】
0003558903.tif 000006